(57)【要約】【課題】注出筒の上端から内容液が液垂れしても衛生的に使用し続けることができる注出容器を提供することを目的としている。【解決手段】内容液を収容する容器本体２と、容器本体２の口部２０に装着された中栓３と、内容液を注出する注出筒４と、を備える注出容器１において、中栓３には、口部２０の内側に配設された内筒３３が備えられ、内筒３３の内側には、注出筒４が軸方向に移動可能に挿通され、注出筒４の外周には、中栓３の内周面によって囲まれた液溜め部６と、液溜め部６と容器本体２の内側とを連通させる液回収路７と、がそれぞれ形成されており、注出筒４には、液回収路７の容器本体２側の開口端の下方に離間して配置されていると共に注出筒４が中栓３に対して軸方向上側に相対移動することで前記開口端を閉塞するシール部４５が設けられている。【選択図】図１
2010149918.tif 000002
【特許請求の範囲】
【請求項１】
内容液を収容する容器本体と、該容器本体の口部に装着された中栓と、前記内容液を注出する注出筒と、を備える注出容器において、
前記中栓には、前記口部の内側に配設された内筒が備えられ、
該内筒の内側には、前記注出筒が軸方向に移動可能に挿通され、
該注出筒の外周には、前記中栓の内周面によって囲まれた液溜め部と、該液溜め部と前記容器本体の内側とを連通させる液回収路と、がそれぞれ形成されており、
前記注出筒には、前記液回収路の容器本体側の開口端の下方に離間して配置されていると共に前記注出筒が前記中栓に対して軸方向上側に相対移動することで前記開口端を閉塞するシール部が設けられていることを特徴とする注出容器。
【請求項２】
請求項１に記載の注出容器において、
前記中栓及び前記注出筒をそれぞれ覆うと共に軸方向上側に取り外し可能なオーバーキャップが備えられており、
該オーバーキャップには、前記注出筒に設けられた第一係合部に対して係脱可能に係合する第二係合部が設けられていることを特徴とする注出容器。
【請求項３】
請求項１または２に記載の注出容器において、
前記液溜め部の底面は、径方向外側から径方向内側の前記液回収路の液溜め部側の開口端に向かって下向きに傾斜されていることを特徴とする注出容器。
【請求項４】
請求項１から３のいずれかに記載の注出容器において、
前記液溜め部の外壁部の上端部には、径方向内側に向けて傾倒した折り返し部が設けられていることを特徴とする注出容器。
【発明の詳細な説明】
【技術分野】
【０００１】
本発明は、容器本体内に収容された内容液を注出する注出筒を備える注出容器に関する。
【背景技術】
【０００２】
この種の注出容器としては、従来、例えば特許文献１に示されているような、内容液を収容した容器本体と、その容器本体の口部に装着されていると共に注出筒を有する中栓と、中栓に被着されたオーバーキャップと、を備える構成が知られている。上記した中栓は、容器本体の口部の外側に嵌合される外筒と、容器本体の口部の内側に嵌合される内筒と、内筒の上端に連設された螺合筒と、内筒及び螺合筒の径方向内側に配設された注出筒と、を備えている。上記した注出筒の軸方向中間部には、径方向外側に突出したフランジ状の支持壁が全周に亘って形成されており、この支持壁の外縁に螺合筒が垂設されている。このような構成の注出容器では、オーバーキャップを取り外した後、容器本体を傾けることで、容器本体内の内容液が注出筒の上端から注出される。
【特許文献１】特開２００３−１６５５５７号公報
【発明の開示】
【発明が解決しようとする課題】
【０００３】
しかしながら、上記した従来の注出容器では、内容液を注出するために傾けた容器本体を直立姿勢に戻す際に、注出筒の上端から注出筒の外周面を伝って内容液が垂れ落ちる場合が考えられる。この場合、注出筒の外周に垂れた内容液が上記した支持壁の上面に溜まったり、支持壁の上面から螺合筒の外周面を伝って垂れ落ちたりするおそれがある。したがって、上記した注出容器では、例えばオーバーキャップを取り外すときなどに指等に内容液が付着する場合が考えられ、使用する際に不衛生になるおそれがある。
【０００４】
本発明は、上記した従来の問題が考慮されたものであり、注出筒の上端から内容液が液垂れしても衛生的に使用し続けることができる注出容器を提供することを目的としている。
【課題を解決するための手段】
【０００５】
本発明に係る注出容器は、内容液を収容する容器本体と、該容器本体の口部に装着された中栓と、前記内容液を注出する注出筒と、を備える注出容器において、前記中栓には、前記口部の内側に配設された内筒が備えられ、該内筒の内側には、前記注出筒が軸方向に移動可能に挿通され、該注出筒の外周には、前記中栓の内周面によって囲まれた液溜め部と、該液溜め部と前記容器本体の内側とを連通させる液回収路と、がそれぞれ形成されており、前記注出筒には、前記液回収路の容器本体側の開口端の下方に離間して配置されていると共に前記注出筒が前記中栓に対して軸方向上側に相対移動することで前記開口端を閉塞するシール部が設けられていることを特徴としている。
【０００６】
このような特徴により、容器本体を傾けて内容液を注出する際、予め注出筒を中栓に対して軸方向上側に相対移動させて引き上げておく。これにより、注出筒のシール部が、液溜め部と容器本体の内側とを連通させる液回収路の容器本体側の開口端を閉塞する。その後、容器本体を傾けることで、容器本体内の内容液が注出筒内を通って注出筒の上端から注出される。このとき、液回収路の容器本体側の開口端がシール部で閉塞されているので、容器本体内の内容液が液回収路内に流入せず、液回収路からの内容液の漏出が防止される。そして、内容液を注出するために傾けた容器本体を直立姿勢に戻して内容液の注出を停止させる。このとき、注出筒の上端から内容液が液垂れすると、その内容液は液溜め部内に垂れ落ち、液溜め部内から液回収路内に流入する。このとき、液回収路の容器本体側の開口端がシール部で閉塞されているので、液垂れした内容液は液回収路内に溜まり、液回収路内に流入しきれなかった内容液は液溜め部内に溜まる。続いて、上記したように引き上げられた注出筒を中栓に対して軸方向下側に相対移動させて押し下げる。これにより、液回収路の容器本体側の開口端からシール部が離間し、液回収路の容器本体側の開口端が開放される。その結果、液回収路内に溜まった内容液が容器本体内に流入すると共に、液溜め部内に溜まった内容液が液回収路を通って容器本体内に流入する。つまり、注出筒の上端から液垂れした内容液は液回収路を通って容器本体内に回収される。
【０００７】
また、本発明に係る注出容器は、前記中栓及び前記注出筒をそれぞれ覆うと共に軸方向上側に取り外し可能なオーバーキャップが備えられており、該オーバーキャップに、前記注出筒に設けられた第一係合部に対して係脱可能に係合する第二係合部が設けられていることが好ましい。
これにより、オーバーキャップを軸方向上側に取り外す際、そのオーバーキャップと注出筒とが第一、第二係合部を介して係合しているため、注出筒がオーバーキャップと共に引き上げられ、注出筒が中栓に対して相対的に軸方向上側に移動する。これにより、上述したように、液回収路の容器本体側の開口端が注出筒のシール部によって閉塞される。
一方、取り外されたオーバーキャップを再び取り付ける際、第一、第二係合部を介して注出筒がオーバーキャップと共に押し下げられ、注出筒が中栓に対して相対的に軸方向下側に移動する。これにより、上述したように、注出筒のシール部が液回収路の容器本体側の開口端から離間し、液回収路の容器本体側の開口端が開放される。
【０００８】
また、本発明に係る注出容器は、前記液溜め部の底面が、径方向外側から径方向内側の前記液回収路の液溜め部側の開口端に向かって下向きに傾斜されていることが好ましい。
これにより、液溜め部内に垂れ落ちた内容液が、傾斜した底面に沿って径方向外側から径方向内側に向かって流れ、液回収路の液溜め部側の開口端に導かれる。
【０００９】
また、本発明に係る注出容器は、前記液溜め部の外壁部の上端部に、径方向内側に向けて傾倒した折り返し部が設けられていることが好ましい。
これにより、容器本体を傾けて注出筒の上端から内容液を注出する際に、液溜め部内に残留した内容液が、液溜め部の径方向外側の内壁面を伝ってその壁面の上端側に流れても、折り返し部のところで溜まりやすく、垂れ落ちにくい。
【発明の効果】
【００１０】
本発明に係る注出容器によれば、注出筒の上端から内容液が液垂れしても、液垂れした内容液が液溜め部に一旦溜められた後、液回収路を通って容器本体内に回収されるので、液垂れした内容液による中栓の汚れを低減させることができ、衛生的に使用し続けることができる。
【発明を実施するための最良の形態】
【００１１】
以下、本発明に係る注出容器の実施の形態について、図面に基いて説明する。
図１は本実施の形態における注出容器１の縦半断面図であり、図２は後述するオーバーキャップ５を回転させて取り外す状態を表した注出容器１の縦半断面図である。
なお、図１に示す一点鎖線Ｏは、後述する容器本体２（口部２０）や中栓３、注出筒４などの中心軸線を示しており、以下、単に「軸線Ｏ」と記す。また、この軸線Ｏに沿った方向を「軸方向」とし、軸線Ｏに直交する方向を「径方向」とし、軸線Ｏ回りの方向を「周方向」とする。また、図１に示す容器本体２の口部２０側（図１における上側）を「上」とし、その反対側（図１における下側）を「下」とする。
【００１２】
図１に示すように、注出容器１は、内容液を収容する容器本体２と、容器本体２の口部２０に装着された中栓３と、容器本体２内の内容液を注出する注出筒４と、中栓３及び注出筒４をそれぞれ覆うオーバーキャップ５と、を備えている。
【００１３】
容器本体２は、軸方向に延在する有底筒状のボトル容器であり、その上端部分に略円筒形状の口部２０が設けられている。この口部２０は、軸線Ｏを中心軸線にして軸方向に延設されており、口部２０の外周面には雄ネジ２１が形成されている。
【００１４】
中栓３は、口部２０の径方向内側に嵌合される嵌合筒３０と、嵌合筒３０の上端から径方向外側に突出したフランジ３１と、嵌合筒３０の上部内周面から嵌合筒３０の内方側に向けて突出された環状の天壁部３２と、環状の天壁部３２の内縁から垂下された内筒３３と、フランジ３１の上面に立設された立上り筒３４と、を備えている。
【００１５】
嵌合筒３０は、軸線Ｏを共通軸にして口部２０と同軸上に配設された円筒形状の筒部である。この嵌合筒３０が口部２０内に嵌合されることで中栓３が口部２０に装着されている。
フランジ３１は、嵌合筒３０の外周面全周に亘って形成された円環状の壁部である。このフランジ３１は、口部２０の上端面に載置されている。すなわち、フランジ３１は、口部２０の上端面に係止されるストッパとして機能しており、このフランジ３１によって、中栓３の口部２０に対する軸方向下側への移動が規制され、中栓３が位置決めされている。
【００１６】
天壁部３２は、嵌合筒３０と内筒３３とを連結する壁部であり、軸方向下側にいくに従い漸次縮径されたテーパー形状に形成されている。
内筒３３は、口部２０及び嵌合筒３０の径方向内側に配設された円筒形状の筒部であり、軸線Ｏを共通軸にして口部２０及び嵌合筒３０と同軸上に配設されている。
立上り筒３４は、軸線Ｏを中心軸にして軸方向に延在する略円筒形状の筒部である。この立上り筒３４は、嵌合筒３０よりも大径に形成されており、立上り筒３４の内周面と嵌合筒３０の内周面との間には段差が形成されている。
【００１７】
一方、注出筒４は、上記した内筒３３の内側に軸方向に移動可能に挿通される筒部材である。詳しく説明すると、注出筒４は、軸線Ｏを中心軸線にして軸方向に延在する円筒形状の注出筒本体４０と、軸線Ｏを共通軸にして注出筒本体４０と同軸上に配設されていると共に注出筒本体４０の下端部の内側にアンダーカット嵌合された円筒形状の嵌合筒体４１と、を備えている。
【００１８】
注出筒本体４０は、内筒３３の内側に軸方向に摺動可能に貫設された筒体である。注出筒本体４０の外周面は内筒３３の内周面に摺接され、注出筒本体４０の上部は内筒３３の上端から突出され、注出筒本体４０の下部は内筒３３の下端から突出されている。注出筒本体４０の上端部には、径方向外側に折り返された注出部４２が全周に亘って形成されている。また、注出筒本体４０の軸方向中間部の内周面には、径方向内側に突出した凸状の第一係合部４３が全周に亘って形成されている。また、注出筒本体４０の軸方向中間部の外周面には、径方向外側に突出していると共に内筒３３の上端面に係止された断面視直角台形状の係止部４４が全周に亘って形成されている。
【００１９】
ところで、上記した注出筒本体４０の外周には、注出筒本体４０の上端（注出部４２）から垂れ落ちた内容液が溜められる液溜め部６と、この液溜め部６と容器本体２内とを連通させる液回収路７と、がそれぞれ形成されている。
【００２０】
液溜め部６は、内筒３３の上方に形成されていると共に注出筒本体４０の外周に全周に亘って環状に形成された空間であり、上記した注出筒４（注出筒本体４０）の外周面及び中栓３の内周面（天壁部３２の上面、立上り筒３４の内周面）によって囲まれていると共に上側が開放されている。この液溜め部６の底壁は、上記したテーパー状の天壁部３２によって形成されており、液溜め部６の底面は、径方向外側から径方向内側に向かって下向きに傾斜されている。また、液溜め部６の外壁は、上記した立上り筒３４によって形成されており、この立上り筒３４の上端部には、径方向内側に向けて傾倒した折り返し部３４ａが設けられている。詳しく説明すると、折り返し部３４ａは、内周面及び外周面がそれぞれ軸方向上側にいくに従って漸次縮径されており、径方向内側に斜めに屈曲されている。また、折り返し部３４ａの壁厚は、軸方向上側にいくに従って漸次縮小されており、立上り筒３４（液溜め部６の外壁部）の上端は断面視略三角状に形成されている。
【００２１】
また、液回収路７は、上記した内筒３３と注出筒４（注出筒本体４０）との間に形成されている。詳しく説明すると、液回収路７は、内筒３３の内周面に形成された溝３３ａと注出筒本体４０の外周面とで形成された内容液の流路である。上記した溝３３ａは、内筒３３の全長に亘って軸方向に延在する凹溝であり、内筒３３の内周面に周方向に間隔をあけて間欠的に複数形成されている。この溝３３ａからなる液回収路７は、上端部が液溜め部６の底面の内縁部分から液溜め部６の内側に向けて開放されており、下端部が内筒３３の下端面から容器本体２の口部２０内に向けて開放されており、注出筒４の外周面の周りに周方向に間隔をあけて間欠的に複数本配列されている。
【００２２】
嵌合筒体４１には、液回収路７の容器本体２側の開口端の下方に離間して配置されていると共に図２に示すように注出筒４が中栓３に対して軸方向上側に相対移動することで液回収路７の容器本体２側の開口端を閉塞するシール部４５が設けられている。詳しく説明すると、上記した嵌合筒体４１の下端部には、径方向外側に向けて突出した円環フランジ状のシール部４５が全周に亘って形成されている。この円環状のシール部４５の外径は、内筒３３の外径よりも大径になっており、シール部４５は、注出筒本体４０の下端面の下方から注出筒本体４０の外周面の径方向外側に突出されている。注出筒本体４０の外周面の径方向外側に突出されたシール部４５の先端部の上面は、内筒３３の下端面の下方に間隔をあけて対向されており、図２に示すように注出筒４が中栓３に対して軸方向上側に相対移動したとき、内筒３３の下端面に密着される。
【００２３】
一方、オーバーキャップ５は、口部２０に被着されたキャップであり、軸方向上側に取り外し可能となっている。具体的に説明すると、オーバーキャップ５は、注出筒４の上方に配設された天壁部５０と、天壁部５０の外縁から垂下された周壁部５１と、周壁部５１の径方向内側に配設されていると共に天壁部５０の下面から垂下されたシール筒部５２と、シール筒部５２の径方向内側に配設されていると共に天壁部５０の下面から垂下された挿入筒部５３と、を備えている。
【００２４】
天壁部５０は、軸線Ｏに対して垂直に配設された円形の板部である。
周壁部５１は、軸線Ｏを共通軸にして口部２０と同軸上に配設された円筒形状の筒部であり、口部２０の径方向外側に配設されている。この周壁部５１の内周面には、口部２０の雄ネジ２１に螺合される雌ネジ５４が形成されており、オーバーキャップ５は口部２０に螺着されている。
【００２５】
シール筒部５２は、嵌合筒３０よりも小径の円筒形状の筒部である。シール筒部５２の下端部は、嵌合筒３０の上端部の内側に嵌合されており、シール筒部５２の外周面と嵌合筒３０の上端部の内周面とは全周に亘って摺接されてシールされている。
挿入筒部５３は、注出筒４（注出筒本体４０）よりも小径の円筒形状の筒部である。この挿入筒部５３は、注出筒本体４０の内側に挿入されていると共に注出筒本体４０にアンダーカット嵌合されている。具体的に説明すると、挿入筒部５３の下端部には、径方向外側に突出した凸状の第二係合部５５が全周に亘って形成されており、この第二係合部５５は、注出筒本体４０の第一係合部４３に対して軸方向下側から係脱可能に係合されている。
【００２６】
次に、上記した注出容器１の作用について説明する。
【００２７】
まず、図２に示すように、オーバーキャップ５を容器本体２（口部２０）に対して軸線Ｏ回りに相対回転させ、口部２０に螺着されたオーバーキャップ５を軸方向上側に移動させる。このとき、オーバーキャップ５の第二係合部５５が注出筒４の第一係合部４３に対して下側から係合されているので、注出筒４はオーバーキャップ５と共に軸方向上側に引き上げられ、注出筒４は内筒３３の内周面に沿って摺動しながら内筒３３に対して相対的に軸方向上側に移動する。そして、注出筒４の下端部に設けられたシール部４５の上面が内筒３３の下端面に密着し、注出筒４の外周面と内筒３３の内周面との間に形成された液回収路７の容器本体２側の開口端が閉塞される。
【００２８】
続いて、口部２０の雄ネジ２１とオーバーキャップ５の雌ネジ５４との噛合が外れるところまでオーバーキャップ５を回転させた後、オーバーキャップ５を引き上げて口部２０から取り外す。このとき、注出筒４のシール部４５が内筒３３の下端面に係止されるので、オーバーキャップ５の第二係合部５５が注出筒４の第一係合部４３を乗り越えて第一係合部４３の上方に移動し、第一、第二係合部４３、５５の係合が外れる。これにより、オーバーキャップ５の挿入筒部５３が注出筒４から引き抜かれ、注出筒４の上端が開放される。また、注出筒本体４０の下端部が内筒３３内に嵌合されることで注出筒４は図２に示す引き上げ位置で保持され、注出筒４のシール部４５によって液回収路７の容器本体２側の開口端が閉塞された状態が維持される。
【００２９】
次に、オーバーキャップ５が取り外された容器本体２を傾ける。これにより、容器本体２内の内容液が注出筒４内を通って注出筒４の上端（注出部４２）から注出される。このとき、上述したように液回収路７の容器本体２側の開口端がシール部４５によって閉塞されているので、容器本体２内の内容液が液回収路７内に流入せず、液回収路７からの内容液の漏出が防止される。また、仮に、液溜め部６の内面に内容液が付着していると、その内容液は容器本体２を傾けたときに液溜め部６の径方向外側の内壁面（立上り筒３４の内周面）を伝って立上り筒３４の上端側に向かって流れるが、立上り筒３４の上端部には折り返し部３４ａが形成されているので、その折り返し部３４ａのところで内容液が溜まりやすく、立上り筒３４の上端から内容液が垂れ落ちにくい。
【００３０】
続いて、内容液を注出するために傾けた容器本体２を直立姿勢に戻して内容液の注出を停止させる。このとき、注出部４２から内容液が液垂れすると、その内容液は注出筒本体４０の外周面を伝ったたり注出部４２から落下したりして液溜め部６内に垂れ落ちる。そして、液溜め部内に垂れ落ちた内容液は、傾斜した液溜め部６の底面（テーパー状の天壁部３２の上面）に沿って径方向外側から径方向内側に向かって流れ、径方向内側に形成された液回収路７の液溜め部６側の開口端に導かれて液回収路７内に流入する。このとき、液回収路７の容器本体２側の開口端がシール部４５で閉塞されているので、液垂れした内容液は液回収路７内に溜まり、液回収路７内に流入しきれなかった内容液は液溜め部６内に溜まる。
【００３１】
次に、取り外されたオーバーキャップ５を口部２０に被せ、オーバーキャップ５の挿入筒部５３を注出筒４内に挿入させる。このとき、オーバーキャップ５の第二係合部５５が注出筒４の第一係合部４３に対して上方から係合し、これら第一、第二係合部４３，５５を介して注出筒４がオーバーキャップ５と共に押し下げられ、注出筒４が中栓３に対して相対的に軸方向下側に移動する。これにより、注出筒４のシール部４５が下降して内筒３３の下端面から離間し、液回収路７の容器本体２側の開口端が開放される。その結果、液回収路７内に溜まった内容液が容器本体２内に流入すると共に、液溜め部６内に溜まった内容液が液回収路７を通って容器本体２内に流入する。つまり、注出筒４の上端から液垂れした内容液は液回収路７を通って容器本体２内に回収される。
【００３２】
続いて、オーバーキャップ５を容器本体２（口部２０）に対して軸線Ｏ回りに相対回転させ、オーバーキャップ５を口部２０に螺合させる。このとき、オーバーキャップ５が口部２０に締め込まれて下降するのに伴い、注出筒４が第一、第二係合部４３，５５を介してオーバーキャップ５と共に押し下げられ、注出筒４は中栓３に対して相対的に軸方向下側に移動する。そして、注出筒４の係止部４４が内筒３３の上端面に係止されたところで注出筒４の中栓３に対する下側への相対移動が規制され、オーバーキャップ５の第二係合部５５が注出筒４の第一係合部４３を乗り越えて第一係合部４３の下側に移動する。このとき、シール筒部５２の下端部が嵌合筒３０の上端部の内側に嵌合され、シール筒部５２の下端部と嵌合筒３０の上端部との間がシールされる。
【００３３】
上記した構成からなる注出容器１によれば、注出筒４の上端から内容液が液垂れしても、液垂れした内容液が液溜め部６に一旦溜められた後、液回収路７を通って容器本体２内に回収されるので、液垂れした内容液による中栓３の汚れを低減させることができ、注出容器１を衛生的に使用し続けることができる。
【００３４】
また、オーバーキャップ５には、注出筒４の第一係合部４３に対して軸方向下側から係脱可能に係合する第二係合部５５が設けられており、オーバーキャップ５を取り外す際にオーバーキャップ５と共に注出筒４が軸方向上側に移動すると共に、取り外されたオーバーキャップ５を再び取り付ける際にオーバーキャップ５と共に注出筒４が軸方向下側に移動するので、注出筒４をオーバーキャップ５の開閉操作と異なる操作によって引き上げたり押し下げたりする手間を省略することができ、注出容器１の操作性を向上させることができる。
【００３５】
また、液溜め部６の底面（天壁部３２の上面）が液回収路７の液溜め部６側の開口端側に向かって傾斜されており、液溜め部６内に垂れ落ちた内容液が、傾斜した液溜め部６の底面に沿って液回収路７の液溜め部６側の開口端に導かれるので、液溜め部６内の内容液を積極的に液回収路７内に流入させることができ、液垂れした内容液を効率的に容器本体２内に回収させることができる。
【００３６】
また、容器本体２を傾けて容器本体２内の内容液を注出する際に、液溜め部６内に残留した内容液が立上り筒３４の上端側に流れても、その内容液は、立上り筒３４の上端の折り返し部３４ａのところで溜まりやすく、立上り筒３４の上端から垂れ落ちにくいので、内容液の注出時における液溜め部６内の内容液の液垂れを抑制することができる。
【００３７】
以上、本発明に係る注出容器の実施の形態について説明したが、本発明は上記した実施の形態に限定されるものではなく、その趣旨を逸脱しない範囲で適宜変更可能である。
例えば、上記した実施の形態では、注出筒４が注出筒本体４０と嵌合筒体４１とを備えており、嵌合筒体４１にシール部４５が形成されているが、本発明は、注出筒を１つの部品で形成することも可能であり、シール部を注出筒（注出筒本体４０）に一体に形成することも可能である。
【００３８】
また、上記した実施の形態では、口部２０の径方向内側に嵌合された嵌合筒３０と、嵌合筒３０の径方向外側に突出したフランジ３１と、嵌合筒３０内に形成された天壁部３２と、天壁部３２の内縁から垂下された内筒３３と、フランジ部３１の上面に立設された立上り筒３４と、を備える中栓３が用いられているが、本発明は、他の構成の中栓を用いることも可能である。例えば、口部２０の径方向外側に嵌合筒が嵌合された構成であってもよく、また、フランジ３１や立上り筒３４が省略された構成であってもよく、また、嵌合筒３０が省略されて内筒が口部２０内に嵌合された構成であってもよい。
【００３９】
また、上記した実施の形態では、内筒３３の内周面に溝３３ａが形成され、この溝３３ａによって液回収路７が形成されているが、本発明は、注出筒４（注出筒本体４０）の外周面に軸方向に延在する溝が形成され、この溝によって液回収路７が形成された構成であってもよい。
また、本発明は、上記した溝３３に替えて軸方向に延在する凸リブを内筒の内周面や注出筒の外周面に周方向に間隔をあけて間欠的に複数形成し、これらの凸リブ間を液回収路７とすることも可能である。
また、本発明は、中栓３の天壁部３２に貫通孔を形成し、この貫通孔を液回収路７とすることも可能である。
【００４０】
また、上記した実施の形態では、注出筒４のシール部４５が内筒３３の下端面に密着して液回収路７の容器本体２側の開口端が閉塞されているが、本発明は、注出筒４のシール部が内筒の内側に嵌合されることで液回収路７の容器本体２側の開口端を閉塞する構成であってもよい。
【００４１】
また、上記した実施の形態では、オーバーキャップ５にシール筒部５２が備えられ、このシール筒部５２が嵌合筒３０の上端部の内側に嵌合することでシールされているが、本発明は、シール筒部５２を立上り筒３４内に嵌合させてシールする構成であってもよく、或いは、シール筒部５２を省略して立上り筒３４をオーバーキャップ５の天壁部５０に密着させることでシールすることも可能であり、その他のシール構造を採用することも可能である。
【００４２】
また、上記した実施の形態では、液溜め部６の外壁部（立上り筒３４）の上端部に折り返し部３４ａが形成されているが、本発明は、液溜め部６の外壁部の上端部に折り返し部が形成されてなく、液溜め部６の外壁部の上端部が真直ぐに形成された構成にすることも可能である。
また、上記した実施の形態では、液溜め部６の底面（天壁部３２）が径方向外側から内側に向かって下向きに傾斜されているが、本発明は、液溜め部６の底面をフラット（軸線Ｏに対して垂直）に形成することも可能である。
また、上記した実施の形態では、注出筒４に第一係合部４３が設けられ、オーバーキャップ５に第一係合部４３に係合する第二係合部５５が設けられているが、本発明は、上記した第一、第二係合部４３、５５を省略した構成にすることも可能である。この場合、オーバーキャップ５を取り外した後、注出筒４を指等で引き上げて液回収路７の容器本体２側の開口端をシール部４５で閉塞させ、その後、容器本体２を傾けて内容液を注出すればよく、或いは、内容液を注出した後、注出筒４を指等で押し下げて液回収路７の容器本体２側の開口端からシール部４５を離間させ、液溜め部６内の内容液を液回収路７から容器本体２内に回収してもよい。
【００４３】
また、上記した実施の形態では、液回収路７が軸方向に延在されているが、本発明は、液回収路７が軸方向に対して斜めに延在されていてもよく、例えば、軸線Ｏ回りに螺旋状に延在していてもよい。
また、上記した実施の形態では、オーバーキャップ５が口部２０に被着されていると共に螺着によって装着されているが、本発明は、オーバーキャップ５が中栓３に被着されていてもよく、また、オーバーキャップ５が口部２０や中栓３に圧入やアンダーカット嵌合などで装着されていてもよい。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４５】
【図１】本発明の実施の形態を説明するための注出容器の縦半断面図である。
【図２】本発明の実施の形態を説明するための注出容器の縦半断面図である。
【符号の説明】
【００４６】
１  注出容器
２  容器本体
３  中栓
４  注出筒
５  オーバーキャップ
６  液溜め部
７  液回収路
２０  口部
３３  内筒
３４  立上り筒（外壁部）
３４ａ  折り返し部
４３  第一係合部
４５  シール部
５５  第二係合部
【図１】
2010149918.tif 000003
【図２】
2010149918.tif 000004